(57)【要約】【課題】  被洗浄物を洗浄液による洗浄から洗浄後の乾燥処理を人手に頼ることなく連続的に行うことができる洗浄・乾燥装置を提供する。【解決手段】  洗浄・乾燥槽と、前記洗浄・乾燥槽に取付けた駆動源と、前記洗浄・乾燥槽に回転可能に収容した内部に空洞部分を有する回転ファン装置と、前記回転ファン装置の内側空洞部分に収容されて回転ファン装置と駆動可能に連結した被洗浄物を収納する有底筒状の洗浄・乾燥バスケットと、圧縮空気により洗浄液を洗浄・乾燥槽に定量給送する給送管と、被洗浄物の洗浄後洗浄・乾燥槽内の洗浄液を排水する排水管と、更に、前記回転ファン装置の駆動及び圧縮空気，洗浄液の給排制御を行う制御手段とを具備して構成したことを特徴とする。【選択図】        図３
2005040728.tif 000002
【特許請求の範囲】
【請求項１】
洗浄・乾燥槽と、前記洗浄・乾燥槽の下側に取付けた駆動源と、前記駆動源と共動回転可能に連結されて前記洗浄・乾燥槽に回転可能に収容した内側に空洞部を有する回転ファン装置と、前記回転ファン装置の空洞部に収容されて回転ファン装置と共動回転可能に駆動連結した被洗浄物を収納する有底筒状の洗浄・乾燥バスケットと、前記洗浄・乾燥槽に取付けられて圧縮空気により洗浄液を前記洗浄・乾燥槽に定量給送する給送管と、被洗浄物の洗浄後洗浄・乾燥槽内の洗浄液を排水する排水管と、更に、前記回転ファン装置の駆動及び圧縮空気，洗浄液の給・排制御を行う制御手段とを具備して構成したことを特徴とする洗浄・乾燥装置。
【請求項２】
前記回転ファン装置は、シロッコファンからなり、このシロッコファンの内側空洞部に気・液の流入・排出孔を多数備えた洗浄・乾燥バスケットを収容して前記シロッコファンと共動回転可能に取付け、この回転ファン装置を、被洗浄物の洗浄時は間欠駆動させ、乾燥時は連続駆動させるように構成したことを特徴とする請求項１記載の洗浄・乾燥装置。
【請求項３】
前記回転ファン装置に具備した洗浄・乾燥バスケットは、板体に被洗浄物を遊嵌する支持棒を複数本植設した被洗浄物懸架板を、前記洗浄・乾燥バスケットに挿脱自在に、かつ、共動回転可能に収容して構成したことを特徴とする請求項１記載の洗浄・乾燥装置。
【請求項４】
前記制御手段は、圧縮空気、洗浄液の供給・排出及び回転ファン装置の間欠・連続駆動並びに被洗浄物の洗浄・乾燥をあらかじめ設定されたシーケンスに従って制御するように構成したことを特徴とする請求項１記載の洗浄・乾燥装置。
【発明の詳細な説明】
【技術分野】
【０００１】
本発明は、ボルト、ナット等油脂が付着した小物部品の洗浄・乾燥処理を連続して行うことを可能とした洗浄・乾燥装置の改良に関する。
【背景技術】
【０００２】
従来から、ボルトやナット、ワシャ等をはじめとする油脂が付着した小物の機械部品を洗浄する場合は、例えば、ボルト等の被洗浄物を洗浄液に浸漬して洗浄するか、あるいは、被洗浄物を洗浄液中で強制的に撹拌して洗浄するか、更には、被洗浄物を洗浄液に浸漬し、この後、洗浄液に超音波を照射して洗浄液を振動させながら洗浄していた。
【０００３】
然るに、前記のような洗浄方法においては、被洗浄物の洗浄後これを自然乾燥にて乾燥処理を行っていたので、乾燥処理には時間を要するとともに、洗浄液に含まれている洗浄剤が被洗浄物に付着していた場合、再洗浄を必要とする等の問題があった。
【０００４】
前記の問題を解決するために、最近では、例えば、洗浄後の被洗浄物に熱風を吹き付けて乾燥させるか、減圧状態下の容器内において乾燥する方策が採用されている。
【０００５】
しかし、前記の方策についても種々の問題があった。即ち、前者においては、洗浄を終えた被洗浄物の乾燥に当り、あらかじめ熱風乾燥室をはじめとする熱風乾燥用の設備、洗浄された被洗浄物を熱風乾燥室に搬送する搬送装置を必要としていた。後者においては、洗浄処理を行った被洗浄物を減圧状態下の容器内に収容して乾燥処理を行う関係上、減圧用の設備を別個に設ける必要があった。このように、洗浄処理を行った後の被洗浄物の乾燥処理に際しては、いずれも大がかりな装置を必要としていたので、洗浄設備は非常に大形化し、かつ、高価となるという問題があった。
【０００６】
このため、前記の問題点を解決するために、最近では、例えば、乾燥手段をコンパクト化した洗浄装置が出現している（例えば、特許文献１参照）。この洗浄装置は、被洗浄物を収容するバスケットを回転自在に設け、このバスケットに洗浄液、すすぎ液、乾燥用熱風を供給するノズル管を設け、被洗浄物の乾燥用に使用する熱風を供給するための設備としては、ブロワーとこのブロワーにて送風された風を熱交換器により所定温度に加熱し、この熱風を配管を介して前記ノズル管に供給し、バスケット内の被洗浄物に向けて噴射し、被洗浄物を効率よく乾燥するように構成されている。
【０００７】
しかしながら、前記構成の洗浄装置においては、洗浄装置にコンパクト化した乾燥手段が具備されて、被洗浄物を洗浄、すすぎ、乾燥と一連の処理を連続的に行うことができ利便である反面、洗浄後においてはコンパクト化されたといえども、乾燥手段が洗浄装置に具備されて被洗浄物の乾燥処理を行うように構成されているので、洗浄装置は依然として乾燥装置が具備されているため、その製造コストを高くすることはもとより、乾燥装置の付設により洗浄装置の構成を複雑化するという問題があった。
【特許文献１】特開２００３−５３２７９号公報（第３頁、図１）
【発明の開示】
【発明が解決しようとする課題】
【０００８】
本発明が解決しようとする問題点は、洗浄液によって洗浄した被洗浄物に、加熱源にて加熱された熱風を噴射して乾燥させるための乾燥手段を洗浄装置に設置することによって生じる洗浄装置のコスト高、大形化を軽減させるとともに、熱風を被洗浄物に噴射して乾燥させるためのエネルギーの使用を全く不要とすることにある。
【０００９】
本発明は、前記の問題点に鑑み、被洗浄物の洗浄及び乾燥する工程を一元化して、簡素な構成で小形化して安価に製造可能とした洗浄・乾燥装置を提供することを目的とする。
【課題を解決するための手段】
【００１０】
請求項１の発明は、洗浄・乾燥槽と、前記洗浄・乾燥槽の下側に取付けた駆動源と、前記駆動源と共動回転可能に連結されて前記洗浄・乾燥槽に回転可能に収容した内側に空洞部を有する回転ファン装置と、前記回転ファン装置の空洞部に収容されて回転ファン装置と共動回転可能に駆動連結した被洗浄物を収納する有底筒状の洗浄・乾燥バスケットと、前記洗浄・乾燥槽に取付けられて圧縮空気により洗浄液を前記洗浄・乾燥槽に定量給送する給送管と、洗浄後洗浄・乾燥槽内の洗浄液を排水する排水管と、更に、前記回転ファン装置の駆動及び圧縮空気，洗浄液の給・排制御を行う制御手段とを具備して構成したことを特徴とする。
【００１１】
請求項１記載の発明においては、回転ファン装置の内部空間に被洗浄物を収容する洗浄・乾燥バスケットを一体的に取付け、この回転ファン装置を洗浄・乾燥槽内に回転自在に設置し、前記回転ファン装置内の洗浄・乾燥バスケットに被洗浄物を投入した後、洗浄液を被洗浄物が浸漬できる程度充填した状態で、前記回転ファン装置を駆動源（電動機）により所要の回転速度で間欠回転させ、前記被洗浄物を振動させて洗浄処理し、洗浄後は洗浄・乾燥バスケットから洗浄液を排出した後、再び回転ファン装置を起動してこの回転ファン装置の回転によって生じる遠心力により、洗浄・乾燥バスケット内に残存している洗浄液や被洗浄物に付着している洗浄液を排除（排出）して、被洗浄物の乾燥処理を行うように構成されているので、被洗浄物の洗浄及び乾燥処理は人手に頼ることなく、自動的に、かつ、迅速・容易に行うことができる。
【００１２】
特に、被洗浄物は回転ファン装置の内部空洞部を利用して洗浄・乾燥バスケットに収納して洗浄し、洗浄後はそのまま洗浄・乾燥バスケット内において回転ファン装置と連動して洗浄・乾燥バスケットを回転させることにより、回転ファン装置の遠心力と、この遠心力の発生により洗浄・乾燥バスケット内を負圧化して被洗浄物を乾燥処理するようにしたので、被洗浄物の乾燥処理作業は、特別な熱風を生成する設備とか、洗浄・乾燥バスケット内を減圧する設備を全く必要とすることなく、効率的に乾燥処理することができるため、非常に利便である。
【００１３】
請求項２記載の発明は、請求項１記載の洗浄・乾燥装置において、前記回転ファン装置は、シロッコファンからなり、このシロッコファンの内側空洞部に気・液の流入・排出孔を多数備えた洗浄・乾燥バスケットを収容して前記シロッコファンと共動回転可能に取付け、この回転ファン装置を、被洗浄物の洗浄時は間欠駆動させ、乾燥時は連続駆動させるように構成したことを特徴とする。
【００１４】
請求項２記載の発明においては、回転ファン装置はシロッコファンを使用しているので、被洗浄物を洗浄処理する場合、洗浄・乾燥バスケットが気・液の流入・排出孔を備えていることと相まって、洗浄液を洗浄・乾燥バスケットの内側からシロッコファンの外側に排出し、シロッコファンの外側に排出された洗浄液はシロッコファンの羽根部分下側の隙間を通って再び洗浄・乾燥バスケットの内部に流入するという動作を繰り返すことにより、洗浄液を洗浄・乾燥槽内において循環させながら被洗浄物を洗浄するようにしたので、洗浄作業が良好に行えるとともに、シロッコファン自体を一定の時間間隔で間欠的に回転させることによって被洗浄物に揺動作用を付与しての洗浄が可能なため、被洗浄物の洗浄作業を短時間で効率的に行うことができる。
【００１５】
また、洗浄後の被洗浄物の乾燥処理に際しても、洗浄液の排出後、シロッコファンの起動により、洗浄・乾燥槽内において洗浄時と同様に、空気の流れを洗浄・乾燥バスケットの内側からシロッコファンの外側に排出するという循環作用により、洗浄・乾燥バスケット内、あるいは、被洗浄物に付着している水分をシロッコファンの遠心力との相乗作用により排出することができるので、被洗浄物を迅速・確実に乾燥処理する事ができる。
【００１６】
請求項３記載の発明は、請求項１記載の洗浄・乾燥装置において、前記回転ファン装置に具備した洗浄・乾燥バスケットは、板体に被洗浄物を遊嵌する支持棒を複数本植設した被洗浄物懸架板を、前記洗浄・乾燥バスケットに挿脱自在に、かつ、共動回転可能に収容して構成したことを特徴とする。
【００１７】
請求項３記載の発明においては、洗浄・乾燥バスケット内に支持棒を植設した被洗浄物懸架板を収容し、この懸架板の支持棒に例えば、カラー等筒状の部材を懸架して洗浄するようにしたので、前記筒状部材は支持棒に懸架して洗浄することにより、部材を整然と配設しての洗浄が可能なため、筒状部材はその内側は外側と同様に洗浄することができるので、筒状部材の洗浄作業もボルト、ナット等の部材と同様に良好に洗浄することができ、利便である。
【００１８】
請求項４記載の発明は、請求項１記載の洗浄・乾燥装置において、前記制御手段は、圧縮空気、洗浄液の供給・排出及び回転ファン装置の間欠・連続駆動並びに被洗浄物の洗浄・乾燥をあらかじめ設定されたシーケンスに従って制御するように構成したことを特徴とする。
【００１９】
請求項４記載の発明においては、被洗浄物の洗浄作業を所定のシーケンスにて洗浄・乾燥処理作業を人手に頼ることなく連続して行うように構成したので、人体が洗浄液に触れたり、洗浄した部材を乾燥設備に移して乾燥処理するという、即ち、洗浄液が人体に触れるという機会は全くないため、被洗浄物の洗浄作業を安全に、かつ、衛生的に行うことができることはもとより、洗浄・乾燥の作業工程が連続して行えるように構成されているので、部材の洗浄・乾燥処理を迅速・容易に行うことができる。
【発明の効果】
【００２０】
本発明は、被洗浄物の洗浄に際しては、シロッコファンからなる回転ファン装置に内装した洗浄・乾燥バスケット内に収容した被洗浄物を洗浄液に浸漬した状態で、前記洗浄・乾燥バスケットを間欠回転させて被洗浄物を洗浄するとともに、被洗浄物の洗浄中は洗浄液を噴射しながら洗浄作業を行うように構成したので、被洗浄物はその洗浄中に噴射される洗浄液の噴射に伴う抵抗力の発生と、洗浄・乾燥バスケットを間欠回転させることによって生ずる揺動作用とによって、洗浄液内で適度に揺動させることができるため、短時間で効率よく洗浄することが可能となる。
【００２１】
また、前記洗浄された被洗浄物は、洗浄・乾燥槽から洗浄液を排出させた後、シロッコファンを起動して洗浄・乾燥バスケットを共動回転するように構成されているので、洗浄を終えた被洗浄物は、シロッコファンの回転によって生ずる、即ち、洗浄・乾燥バスケットの内側から空気をシロッコファンの外側に排出し、この排出された空気が再び洗浄・乾燥バスケット内に流入するという空気の循環作用と、シロッコファンの遠心作用とを利用して被洗浄物を乾燥処理することができるため、被洗浄物の乾燥処理も乾燥設備を特別に用意することなく、迅速・良好に行うことができる。
【００２２】
また、本発明においては、被洗浄物の洗浄・乾燥処理に際して、シロッコファンの回転により生じる遠心力、風圧作用によって被洗浄物を洗浄・乾燥バスケット内において効率よく揺動させながら洗浄・乾燥を行うようにしたので、被洗浄物は前記揺動作用によって洗浄液中とか、洗浄後は洗浄・乾燥バスケット内において、常に揺動状態下にあるため、洗浄液との絡みが良好となり、これにより常に清浄に洗浄作業が行えるとともに、乾燥処理においても、被洗浄物は常に揺動しているので、シロッコファンの回転によって生じる風力によって被洗浄物はその内、外面に付着している洗浄液を容易に吹き飛ばしての乾燥処理が行い得るため、短時間で乾燥処理ができ利便である。
【００２３】
しかも、前記の乾燥処理は、外部から熱風を給送して乾燥するのではなく、シロッコファンの特性を活かして洗浄・乾燥槽内の空気を効率よく循環させるように構成してあるため、特別な乾燥設備は一切必要なく、シロッコファンを単に起動するだけで容易に被洗浄物の洗浄・乾燥処理を行うことができるので、本発明の洗浄・乾燥装置は、簡素な構成で経済的に製造することができるという利点も備えている。
【００２４】
その上、本発明においては、前記洗浄・乾燥処理作業は、密閉された洗浄・乾燥槽内で、所定のシーケンスに従って人手に頼ることなく自動的に行うように構成されているので、即ち、洗浄作業は洗浄液を循環させて行い、乾燥作業は洗浄液を一旦排出した後シロッコファンの駆動によって発生する遠心力、風圧を利用して行うように構成されているので、洗浄後の乾燥処理において洗浄液の飛沫が飛散して人体に悪影響を与えるという問題は全くなく、安全に、かつ、衛生的に洗浄・乾燥作業を行うことができる。また、洗浄液の噴射に際しては、噴射ポンプを使用することなく、圧縮空気を使用するように構成されているので、乾燥設備の不要と相まって洗浄・乾燥装置を安価に製造できることはもとより、操作も自動化できるため被洗浄物の洗浄・乾燥作業を効率的に行うことができる。
【００２５】
更に、本発明においては、ボルトやナット等の部材の他に、例えば、カラー等の筒状部材においても、これらの部材を懸架する被洗浄物懸架板を洗浄・乾燥バスケットに収容し、前記筒状部材を懸架板の支持棒に掛止する等して懸架することにより、筒状部材は他の部材と接触・重合したりしてその洗浄が妨げられることもなく、良好に、かつ、短時間で洗浄・乾燥処理することができるので至便であるとともに、前記被洗浄物懸架板の床面付近の空洞を利用してボルト・ナット等の部材との共同洗浄が行える等、被洗浄物を選択したり、個別に分離した状態での洗浄・乾燥処理も行うことができるため便利である。
【発明を実施するための最良の形態】
【００２６】
以下、本発明の実施例を図１ないし図９によって説明する。図１において、１は洗浄・乾燥装置Ａの架台で、キャスター２を付設して移動可能に形成されている。３は前記架台１の背部側に植設した機材取付用のフレームを示し、このフレーム３の最上部には洗浄・乾燥装置の操作箱４が取付けられており、また、前記フレーム３の中腹部には、図１、２に示すように、前記洗浄・乾燥装置Ａを載置・固定する取付台５が水平に横設されている。
【００２７】
前記架台１上には、図１に示すように、洗浄液を適量充填したタンク６と、洗浄・乾燥装置Ａのシーケンサ（コントローラ、図８参照）７ａを内蔵した制御箱７とが所要の間隔を空けて併設されている。
【００２８】
次に洗浄・乾燥装置Ａの構成について説明する。洗浄・乾燥装置Ａは大別すると、洗浄・乾燥部Ｂと駆動源とによって構成されている。最初に、洗浄・乾燥部Ｂの構成について説明する。洗浄・乾燥部Ｂは図３に示すように、円筒状の洗浄・乾燥槽１０と、この洗浄・乾燥槽１０に回転自在に遊嵌したシロッコファン１１と、このシロッコファン１１の内側空洞部１１ａ内に取付けた洗浄・乾燥バスケット（以下、バスケットという）１２と、前記洗浄・乾燥槽１０の底面に前記シロッコファン１１との間に所定の空間を有して水密構造に封止してフレーム３の取付台５上に載置固定される中空状の排出室１３とからなる。
【００２９】
そして、前記洗浄・乾燥部Ｂの排出室１３の底部には、シロッコファン１１を駆動するための駆動源としての電動機１４が排出室１３と一体的に取付けられている。前記電動機１４により駆動するシロッコファン１１は、図４に示すように、その内側空洞部１１ａに気・液の流入・排出用の空孔１２ａを多数穿孔した孔明き板を有底筒状に成型して形成したバスケット１２を収容し、このバスケット１２上端の開口部周縁に形成した鍔縁をシロッコファン１１の上端縁に止着することにより、バスケット１２をシロッコファン１１に一体的に、かつ、共動回転可能に取付ける。
【００３０】
前記バスケット１２をシロッコファン１１に取付けた後、バスケット１２の底部に下方に向って止着した連結軸１５を電動機１４の回転子軸１４ａに駆動連結することにより、シロッコファン１１は前記バスケット１２、連結軸１５を介して電動機１４に駆動可能に連結される。なお、前記連結軸１５と回転子軸１４ａは、ともに排出室１３の底部に形成された軸受筐１６に装着した軸受部材１７により回転自在に支承されている。
【００３１】
図３において、１８はシロッコファン１１の下部を常時水平状態に支持する支持板を示し、この支持板１８は中心部を連結軸１５に軸着し、外周縁の複数個所をシロッコファン１１の下端縁に止着することにより、前記シロッコファン１１は縦向きに設置するようにした場合においても、偏心することなく常に水平状態を維持して円滑に回転させることができる。
【００３２】
図１、３において、２０は洗浄液を充填したタンク６と洗浄・乾燥槽１０との間で配管されて、洗浄液をタンク６から洗浄・乾燥槽１０内に給送する給送管、２１は洗浄・乾燥槽１０の排出室１３とタンク６との間にソレノイド（エアバルブ）２２を介して配管した洗浄・乾燥槽１０内の流入した洗浄液をタンク６に戻すための排水管である。また、２３はコンプレッサ２４とタンク６内とを連通可能に配管した圧縮空気供給管で、配管途中にはソレノイド（エアバルブ）２５が配管接続されている。
【００３３】
２６は洗浄・乾燥槽１０の上部開口部を被覆するカバー、２７はバスケット１２内に収容したボルトやナット、ワシャ等油脂分が付着した被洗浄物である。更に、２８は操作箱４の正面に取付けた起動スイッチ、２９は停止スイッチである。
【００３４】
次に動作について説明する。最初に、図３において洗浄・乾燥槽１０のカバー２６を取外し、シロッコファン１１の内側空洞部１１ａに取付けたバスケット１２内に洗浄処理を行う油脂分が付着したボルト、ナット、ワシャ等の被洗浄物２７を適量投入した後、洗浄・乾燥槽１０の開口部にカバー２６を被せる。
【００３５】
前記のようにして被洗浄物２７を洗浄・乾燥槽１０に収容したら、操作箱４に設けた起動スイッチ２８を投入する。起動スイッチ２８の投入によりソレノイド２２は、シーケンサ７ａからの指令にて閉止し、排水管２１の流路を閉路する。一方、電動機１４もシーケンサ７ａからの指令にてｔ1秒回転、ｔ2秒停止を繰り返す。即ち、シーケンサ７ａからの指令により、前記所定時間ｔ1、ｔ2毎に図８に示すリレーＲｙ1がＯＮ・ＯＦＦ動作して電動機１４を間欠回転させる（図９の起動スイッチ２８ＯＮ、ソレノイド２２閉、タンク６加圧（ソレノイド２５開）、電動機１４断続回転参照）。
【００３６】
また、前記起動スイッチ２８の投入により、圧縮空気供給管２３に管接続したソレノイド２５も同時に開放され、コンプレッサ２４にて生成された圧縮空気を前記圧縮空気供給管２３を介して洗浄液を充填したタンク６内に供給し、タンク６内を所定圧力に加圧する。タンク６内が圧縮空気によって所定圧力（例えば、０．１ＭＰａ）に加圧されると、タンク６内に充填されている洗浄液は前記圧縮空気の加圧力によって給送管２０を上昇し、洗浄・乾燥槽１０内に送液される。
【００３７】
洗浄・乾燥槽１０内に送液された洗浄液（例えば、イソパラフィン系炭化水素）は、給送管２０の先端から洗浄・乾燥槽１０内に噴射された状態で順次注入される。この際、電動機１４は既に間欠回転しており、その回転方向は前記洗浄液の噴出方向と逆方向に回転するように設定されているので、バスケット１２内に収容した被洗浄物２７は、電動機１４によるシロッコファン１１の断続（間欠）回転によって、常に洗浄液の噴射方向に向って移動することになるため、バスケット１２内で給送管２０から噴射される洗浄液によって弾き飛ばされるような状態で洗浄されることになる。
【００３８】
前記洗浄・乾燥槽１０内に注入された洗浄液は、ソレノイド２２が閉止されているので、排水管２１からタンク６内に流入することなく、洗浄・乾燥槽１０の排出室１３に滞留される。前記洗浄液の洗浄・乾燥槽１０への噴射・注入作業は、洗浄液が洗浄・乾燥槽１０のほぼ半分程度（図３のＰ参照）充填（シロッコファン１１、バスケット１２は約２／３程度浸漬されている）された時点で、シーケンサ７ａからの指令によりコンプレッサ２４の運転を停止させるとともに、ソレノイド２５を開放状態から閉止状態に駆動し、タンク６への圧縮空気の供給を停止させる（図９のタンク６の加圧解除参照）。
【００３９】
前記圧縮空気の供給が断たれるため、タンク６内の加圧力も自然に鈍化し、これにより洗浄液の給送圧力が低下するため、洗浄・乾燥槽１０への洗浄液の送液は急激に減少することになる。一方、バスケット１２内に収容した被洗浄物２７は、図３に示すように、洗浄液内に浸漬された状態でシロッコファン１１の断続回転によって洗浄作業を継続している。前記被洗浄物２７の洗浄は、例えば、シロッコファン１１を１秒間回転、２秒間停止させるという断続回転を所定回数、あるいは、所定時間繰り返して行われるので、被洗浄物２７は洗浄液に浸漬されていても、前記シロッコファン１１の断続回転によってバスケット１２内で容易に振動を繰り返すことができるので、洗浄作業を良好に行うことができる。
【００４０】
そして、前記シロッコファン１１（電動機１４）の断続回転が所定時間（所定回数）行われて終了すると、シーケンサ７ａからの指令によりリレーＲｙ1がＯＦＦし、電動機１４は回転を停止し、洗浄作業を終了する（図９の電動機１４断続回転ＯＦＦ参照）。この後、シーケンサ７ａからの指令によりソレノイド２２は閉止状態から開放状態に変換され、洗浄・乾燥槽１０内に充填した洗浄液を排水管２１を介してタンク６に戻す（流入）させる（図９のソレノイド２２開参照）。
【００４１】
洗浄・乾燥槽１０内の洗浄液がタンク６内に流入した時点で、シーケンサ７ａからの指令により図８に示すリレーＲｙ2がＯＮし、電動機１４を所定の回転速度（例えば、１２００ｒｐｍで１５〜２０秒間）連続回転させる（図９の電動機１４連続回転参照）。前記電動機１４の起動によりシロッコファン１１は高速回転し、シロッコファン１１の羽根部分（図４参照）１１ｂ、バスケット１２、被洗浄物２７に付着している残存洗浄液を洗浄・乾燥槽１０の内壁面側に吹き飛ばすことにより、被洗浄物２７の乾燥処理を行う。
【００４２】
即ち、洗浄液をタンク６に排出した後、電動機１４にてシロッコファン１１を回転させると、このシロッコファン１１の内側空洞部１１ａに取付けたバスケット１２も共動して回転し、被洗浄物２７やバスケット１２の周面に付着している洗浄液を、バスケット１２に穿孔した多数の気・液排出用の空孔１２ａを利用して前記内側空洞部１１ａの外に排出し、バスケット１２内を乾燥処理するものである。
【００４３】
前記乾燥処理の状況を具体的に説明すると、シロッコファン１１の回転により、洗浄・乾燥槽１０内の空気はシロッコファン１１の内側空洞部１１ａからその外側に吸引され、前記シロッコファン１１の外側に排出された空気はシロッコファン１１の上下方向からその内側空洞部１１ａに進入し、再びシロッコファン１１の羽根部分１１ｂの間を通って洗浄・乾燥槽１０の内壁面に向って排出する。このように、洗浄・乾燥槽１０内において、空気をシロッコファン１１の内側から外側に循環させることにより、かつ、シロッコファン１１の回転時に発生する遠心力による相乗作用によって空気の循環作用が効果的に促進され、バスケット１２内で洗浄を終えた被洗浄物２７を迅速・確実に乾燥させることができる。また、前記乾燥処理時、バスケット１２内の被洗浄物２７は、シロッコファン１１の回転作用によってバスケット１２内を揺動・移動するため、前記洗浄・乾燥槽１０内を循環する空気とは良好に接触することができるため、その乾燥処理を良好に、かつ、迅速（短期間で）に行うことができる（図９の電動機１４連続回転参照）。
【００４４】
本発明は、前記のように、洗浄液による被洗浄物２７の洗浄に際しては、圧縮空気により洗浄液のタンク６内を加圧して洗浄液をタンク６から洗浄・乾燥槽１０内に噴出させて注入する方式が採用されているので、洗浄液を給送するための電動ポンプが不要となり、これにより、洗浄・乾燥装置Ａを簡素な構成で経済的に製造することが可能となる。
【００４５】
また、被洗浄物２７の乾燥に際しても、シロッコファン１１の採用によって、バスケット１２内からシロッコファン１１の外側に空気を循環させる方式と、シロッコファン１１の遠心作用によってバスケット１２内を負圧下することにより、被洗浄物２７をあたかも減圧下において乾燥処理するが如く処理することができるため、熱風を発生させるための設備を全く使用することなく、洗浄処理した被洗浄物２７の乾燥処理を迅速・確実に、かつ、経済的に行うことができ利便である。
【００４６】
次に、図５ないし図７において、本発明の第２実施例について説明する。この第２実施例は、図７に示すように、中空状の部材、例えば、カラー等の筒状部材３５を洗浄・乾燥する場合に関係するものである。前記筒状部材３５を洗浄・乾燥する場合、これまでのボルトやナットの如く、単にバスケット１２内に収容して洗浄・乾燥することは当然行うことはできるが、部材そのものが中空形体で形成されている関係上、中空部の内側を円滑に洗浄したり乾燥させるには、ある程度整列させて洗浄・乾燥処理した方が、バスケット１２内に乱雑に収容して洗浄等を行うことに比べればその作業効率は歴然としている。
【００４７】
本発明の第２実施例は前記の点に鑑み、図５に示すように、バスケット１２内に被洗浄物である筒状部材３５を懸架するための支持棒３６を図６に示すように、適当な間隔を保って被洗浄物懸架板３７に複数本植設し、この懸架板３７をバスケット１２内に取付ける場合は、前記懸架板３７の周縁を２ヶ所半円状に切欠いた切欠孔３８を、あらかじめバスケット１２の底部に前記切欠孔３８と対応する位置に取付けた係止ピン３９と係合する位置に合致させた状態で、前記被洗浄物懸架板３７をバスケット１２内に挿入し、係止ピン３９に切欠孔３８を係合させることにより、被洗浄物懸架板３７をバスケット１２に取付ける。
【００４８】
バスケット１２内に被洗浄物懸架板３７を取付けたら、各支持棒３６に中空状のカラーとか、コイルバネ等の筒状部材３５を、図７に示すように懸架させる。この後は、第１実施例で説明したので詳しい説明は省略するが、洗浄液を洗浄・乾燥槽１０内に注入すると同時にシロッコファン１１を回転させて筒状部材３５の洗浄を行う。この場合、筒状部材３５はそれぞれ支持棒３６に懸架されているため、その内・外周面に洗浄液が均等に行き渡るため、筒状部材３５はその内・外面を均一、かつ、良好に洗浄することができる。
【００４９】
また、洗浄後の乾燥状態に当っても、筒状部材３５は洗浄時と同様に被洗浄物懸架板３７上の支持棒３６に懸架されているため、シロッコファン１１の回転によって生じる遠心作用と空気の循環作用により、空気は中空部の内側にも容易に進入することができるので、乾燥処理はボルトやナットと同様に、筒状部材３５が支持棒３６に整列した状態で懸架されているため、迅速・確実に乾燥処理することができる。このように、本発明においては、ボルトやナット等主に部材の表面を洗浄するものから、カラー等筒状部材の如く部材の内・外面を洗浄する部材まですべて容易に、かつ、迅速・確実に洗浄・乾燥処理することができる。その上、洗浄液を噴射するポンプとか、熱風を発生させる乾燥装置を特別に必要としないので、この種の装置を小型・軽量で、経済的に製造することができるという実用上優れた効果を有するものである。
【図面の簡単な説明】
【００５０】
【図１】本発明の洗浄・乾燥装置を示す正面図である。
【図２】本発明の洗浄・乾燥装置を示す側面図である。
【図３】本発明の洗浄・乾燥装置の要部を縦断して示す正面図である。
【図４】図３のＸ−Ｘ線における断面図である。
【図５】本発明の第２実施例を示すもので、被洗浄物懸架板を洗浄・乾燥バスケット内に収容した状態を示す断面図である。
【図６】被洗浄物懸架板の平面図である。
【図７】図６のＹ−Ｙ線における断面図である。
【図８】本発明装置の概略電気回路図である。
【図９】本発明装置の動作を説明するタイミングチャート図である。
【符号の説明】
【００５１】
６  タンク
１０  洗浄・乾燥槽
１１  シロッコファン
１２  洗浄・乾燥バスケット
２０  給送管
２１  排水管
２２，２５  ソレノイド
２７  被洗浄物
３５  筒状部材
３６  支持棒
３７  被洗浄物懸架板
３８  切欠孔
３９  係止ピン
【図１】
2005040728.tif 000003
【図２】
2005040728.tif 000004
【図３】
2005040728.tif 000005
【図４】
2005040728.tif 000006
【図５】
2005040728.tif 000007
【図６】
2005040728.tif 000008
【図７】
2005040728.tif 000009
【図８】
2005040728.tif 000010
【図９】
2005040728.tif 000011